(57)【特許請求の範囲】
【請求項１】
防火扉の突起を所定位置まで受け入れてその戻り方向への移動を規制したロック状態を保持し、特定レバーの所定方向への動きにより前記ロック状態を解除する係支機構部に対して、通電時に前記特定レバーを前記所定方向に動かす力を与えて前記ロック状態を解除させるためのロック解除機構において、
ベース部材（３２、１２０、１７０、１８０）と、
前記ベース部材に支持され、非通電状態で発生する永久磁石の磁力あるいは通電によって発生する電磁石の磁力により駆動軸を一端側に突出させた状態で吸着保持させた第１状態と、通電によって前記永久磁石の磁力を打ち消すまたは非通電によって前記電磁石の磁力を消すことで前記駆動軸の内部への移動が可能な第２状態にするソレノイド（１１０）と、
前記ソレノイドの一端側近傍で前記駆動軸の長さ方向を含む平面内で回動自在な状態で前記ベース部材に支持され、自由端が前記ソレノイドの前記駆動軸の先端に当接する位置まで延びた回動レバー（１２３）と、
前記ソレノイドの外周近傍の位置で、該ソレノイドの前記駆動軸の長さ方向にスライド自在な状態で前記ベース部材に支持され、前記回動レバーの中間部に前記ソレノイドの駆動軸と反対方向から係合する第１腕部（１３６）が設けられ、バネ（１３５）によって前記ソレノイドの他端方向へ付勢され、前記ソレノイドが前記第１状態に保持されているときには、該駆動軸に先端を当接して回動が規制されている前記回動レバーにより第１位置に停止し、前記ソレノイドが第２状態になって前記駆動軸が前記バネの付勢力で内部に押し込まれて前記回動レバーが回動したときに、前記ソレノイドの他端方向の第２位置へ移動するスライドレバー（１３０）と、
前記スライドレバーと平行にスライド自在な状態で前記ベース部材に支持され、バネ（９２）の付勢力によって前記係支機構部の特定レバーに作用しない前記ソレノイドの一端寄りの第３位置から、前記係支機構部の特定レバーを解除位置に移動させるとともに、その戻りを規制する前記ソレノイドの他端寄りの第４位置へ移動可能な解除レバー（９１）と、
前記ソレノイドの駆動軸の長さ方向を含む平面内で回動自在な状態で前記ベース部材に支持され、前記スライドレバーが前記第１位置にあるときには、前記解除レバーに係合して該解除レバーを前記第３位置に停止させる角度位置となり、前記スライドレバーが前記第２位置に移動するときこれと連動して前記解除レバーとの係合を解除して該解除レバーを前記第４位置まで移動させて、前記係支機構部のロックを解除させるとともに、再ロック防止状態にするトリガレバー（１００）と、
前記ソレノイドの駆動軸の長さ方向と直交する方向にスライド自在で外部から押し込み操作できる状態で前記ベース部材に支持され、押し込み操作されたとき前記スライドレバーおよび前記解除レバーにそれぞれテーパー部を当接させて、前記スライドレバーを前記第２位置から前記第１位置に復帰させ、前記解除レバーを前記第４位置から前記第３位置に復帰させる操作レバー（１５０）とを備えたことを特徴とする防火扉のロック解除機構。
【発明の詳細な説明】
【技術分野】
【０００１】
本発明は、防火扉が係支機構に係支されたロック状態を、火災発生時等に解除するためのロック解除機構に関し、その構造を簡単化して種々の係支機構に適用できる汎用性を与えるための技術に関する。
【背景技術】
【０００２】
ビル等の建造物には、火災発生時の安全を確保するために防火扉が設置されている。防火扉は、平常時には係支機構により壁面等に沿わせた位置に係支されたロック状態となっているが、火災発生時には遠隔操作などによってその係支機構のロック状態が解除され、特定の通路を閉鎖できる可動状態となる。
【０００３】
このような防火扉を係支する基本的な係支機構として、防火扉に固定されたフックを、案内路に沿って受け入れながら、そのフックで係支レバーの一端側を押して回動させ、フックが奥まで進入したとき係支レバーの他端側をフックに引掛かけるとともに、係支レバーの戻り方向の移動を戻り規制機構で規制している。これによってフックが退出できないロック状態となる。
【０００４】
そして、火災発生時には、ロック解除機構からの力を戻り規制機構に作用させてその規制状態を解除させて、係支レバーをフック進入時と逆方向に回動させ、フックが退出できるようにする。
【０００５】
このように、防火扉を開閉させる係支装置としては、大別して、防火扉を係支状態に保持する係支機構部と、その係支状態を解除するロック解除機構部とで構成されることになる。また、防火扉としては、火災発生の際に一旦ロック解除されて係支機構部から離脱して可動できる状態になった防火扉を誤って係支機構部側に移動させて再びロック状態（再ロック状態）になってしまうことを防ぐための、再ロック防止機能を持たせる必要がある。
【０００６】
このような、係支機構部とロック解除機構部とを有し、再ロック防止機能を備えた係支装置の具体的な構成は、例えば特許文献１に開示されている。
【先行技術文献】
【特許文献】
【０００７】
【特許文献１】特開２０１０−１３３１４３号公報
【発明の概要】
【発明が解決しようとする課題】
【０００８】
上記特許文献１は、少ない消費電力で大きな解除規制能力と再ロック防止機能を実現するためになされたものであり、防火扉の突起（フック）が進入するときの力を、解除用の力としてバネに蓄えるとともに自己保持型のソレノイドによる非通電時の磁石の保持力を利用して大きな解除規制能力を実現し、ソレノイドへの通電で蓄えていた力を係支機構部に与えてロック解除を行い、再ロック防止状態を維持しながら防火扉の移動を可能にし、操作レバーの押し込み操作により、ロック可能な状態に戻す構造を有している。
【０００９】
それを実現するためのロック解除構造として、自己保持型のソレノイドと操作レバーの他に３つのスライド型のレバーを用い、そのうちの二つを係支機構部のロック用のアームと再ロック防止用の制止片にそれぞれ作用させて、ロック解除させ、再ロック防止状態を維持させている。
【００１０】
上記特許文献１のロック解除機構は、係支機構部の２箇所に対して作用する構造を採用しているため、構造が複雑化し、係支機構部の構造に対する依存性が強く、汎用性に欠け、他の係支機構への対応が困難であった。
【００１１】
本発明は、上記特許文献１のロック解除機構をさらに発展させ、より簡単な構造で汎用性が高く、他の係支機構へ対応が容易な防火扉のロック解除機構を提供することを目的としている。
【課題を解決するための手段】
【００１２】
前記目的を達成するために、本発明の防火扉のロック解除機構は、
防火扉の突起を所定位置まで受け入れてその戻り方向への移動を規制したロック状態を保持し、特定レバーの所定方向への動きにより前記ロック状態を解除する係支機構部に対して、通電時に前記特定レバーを前記所定方向に動かす力を与えて前記ロック状態を解除させるためのロック解除機構において、
ベース部材（３２、１２０、１７０、１８０）と、
前記ベース部材に支持され、非通電状態で発生する永久磁石の磁力あるいは通電によって発生する電磁石の磁力により駆動軸を一端側に突出させた状態で吸着保持させた第１状態と、通電によって前記永久磁石の磁力を打ち消すまたは非通電によって前記電磁石の磁力を消すことで前記駆動軸の内部への移動が可能な第２状態にするソレノイド（１１０）と、
前記ソレノイドの一端側近傍で前記駆動軸の長さ方向を含む平面内で回動自在な状態で前記ベース部材に支持され、自由端が前記ソレノイドの前記駆動軸の先端に当接する位置まで延びた回動レバー（１２３）と、
前記ソレノイドの外周近傍の位置で、該ソレノイドの前記駆動軸の長さ方向にスライド自在な状態で前記ベース部材に支持され、前記回動レバーの中間部に前記ソレノイドの駆動軸と反対方向から係合する第１腕部（１３６）が設けられ、バネ（１３５）によって前記ソレノイドの他端方向へ付勢され、前記ソレノイドが前記第１状態に保持されているときには、該駆動軸に先端を当接して回動が規制されている前記回動レバーにより第１位置に停止し、前記ソレノイドが第２状態になって前記駆動軸が前記バネの付勢力で内部に押し込まれて前記回動レバーが回動したときに、前記ソレノイドの他端方向の第２位置へ移動するスライドレバー（１３０）と、
前記スライドレバーと平行にスライド自在な状態で前記ベース部材に支持され、バネ（９２）の付勢力によって前記係支機構部の特定レバーに作用しない前記ソレノイドの一端寄りの第３位置から、前記係支機構部の特定レバーを解除位置に移動させるとともに、その戻りを規制する前記ソレノイドの他端寄りの第４位置へ移動可能な解除レバー（９１）と、
前記ソレノイドの駆動軸の長さ方向を含む平面内で回動自在な状態で前記ベース部材に支持され、前記スライドレバーが前記第１位置にあるときには、前記解除レバーに係合して該解除レバーを前記第３位置に停止させる角度位置となり、前記スライドレバーが前記第２位置に移動するときこれと連動して前記解除レバーとの係合を解除して該解除レバーを前記第４位置まで移動させて、前記係支機構部のロックを解除させるとともに、再ロック防止状態にするトリガレバー（１００）と、
前記ソレノイドの駆動軸の長さ方向と直交する方向にスライド自在で外部から押し込み操作できる状態で前記ベース部材に支持され、押し込み操作されたとき前記スライドレバーおよび前記解除レバーにそれぞれテーパー部を当接させて、前記スライドレバーを前記第２位置から前記第１位置に復帰させ、前記解除レバーを前記第４位置から前記第３位置に復帰させる操作レバー（１５０）とを備えている。
【発明の効果】
【００１３】
このように構成したため、本発明の防火扉のロック解除機構では、火災発生時の通電切換によりソレノイドが第１状態から第２状態へ変化して、駆動軸が内部に押し込まれてスライドレバーが第１位置から第２位置へ移動し、その移動によりトリガレバーが回動して解除レバーが第３位置から第４位置に移動する。この解除レバーで係支機構部の特定レバーを所定方向に作動させることで、係支機構部による防火扉のロック状態を解除することができる。この状態では、第４位置にある解除レバーが特定レバーの戻りを規制するので再ロック防止状態となる。そして、操作レバーを押し込むことで、スライドレバーが第２位置から第１位置側に移動し、ソレノイドの駆動軸が一端側に突出した状態に保持されて、スライドレバーが第１位置に停止する。また、解除レバーが第４位置から第３位置側に移動し、トリガレバーと係合して第３位置に停止して、再ロック可能な初期状態に復帰する。
【００１４】
このように、本発明のロック解除機構は、通電制御されるソレノイドと操作レバーの他に、２つのスライド型レバーと２つの回動型レバーを用い、スライド型レバーの一つを係支機構部の特定レバーに作用させることで、ロック解除させ、再ロック防止状態を維持させているから、ロック解除機構自体の構成が簡単化でき低コストに作ることができ、係支機構部の構造に対する依存性が弱く、汎用性が格段に高くなり、種々の係支機構への対応が可能となる。
【図面の簡単な説明】
【００１５】
【図１】本発明の実施形態の係支装置を正面上方から見た図
【図２】実施形態の下シャーシ内の係支機構部の構造を示す図
【図３】実施形態の下シャーシ内の係支機構部の構造を示す分解図
【図４】実施形態の上シャーシ内のロック解除機構部の構造を示す図
【図５】実施形態の上シャーシ内のロック解除機構部の構造の一部を省いた図
【図６】実施形態の上シャーシ内のロック解除機構部の構造を示す分解図
【図７】実施形態に用いたソレノイドの内部構造図
【図８】実施形態に用いた操作レバーの構造図
【図９】実施形態の下シャーシ内の各部の係支状態までの動作を説明するための図
【図１０】実施形態の下シャーシ内の各部の係支状態までの動作を説明するための図
【図１１】実施形態のロック解除機構部の動作を説明するための図
【図１２】実施形態のロック解除機構部の動作を説明するための図
【図１３】実施形態のロック解除機構部の動作を説明するための図
【図１４】実施形態の下シャーシ内の各部の解除状態までの動作を説明するための図
【図１５】実施形態の操作レバーによる復帰動作を説明するための図
【図１６】実施形態の操作レバーによる復帰動作を説明するための図
【図１７】実施形態の操作レバーによる復帰動作を説明するための図
【発明を実施するための形態】
【００１６】
以下、図面に基づいて本発明の実施の形態を説明する。
図１〜図６は、本発明を適用したロック解除機構を含む係支装置３０の構造を示している。
【００１７】
この係支装置３０は、図１に示しているように、上下に重ねられた矩形箱型の下シャーシ３１と上シャーシ３２、および前面板１７０、背面板１８０により一体的に構成したケースを有している。
【００１８】
ここで、下シャーシ３１には、防火扉の突起を所定位置まで受け入れてその戻り方向への移動を規制したロック状態を保持し、特定レバーの所定方向への動きにより前記ロック状態を解除するための係支機構部２００が形成され、上シャーシ３２には、係支機構部２００に対して、通電時に特定レバーを所定方向に動かす力を与えてロック状態を解除させるためのロック解除機構部３００が形成されている。
【００１９】
係支機構部２００のベース部となる下シャーシ３１は、図２、図３に示しているように、底板３１ａ、前板３１ｂ、後板３１ｃ、左側板３１ｄ、右側板３１ｅとにより形成され、前板３１ｂの中央は、防火扉の突起Ｐを受け入れるための開口を形成するように切欠かれており、底板３１ａの中央には、この開口と連続し防火扉のＵ字状の突起Ｐを内部に直線的に案内する案内路を形成する案内溝３３が形成されている。
【００２０】
この案内溝３３の奥端の近傍で左側板３１ｄ寄りの位置には第１の軸３４が立設され、案内溝３３の入り口近傍の左側方には第２の軸３５が立設されている。
【００２１】
第１の軸３４には、この係支機構部２００の係支レバー２０１を構成する係支片４１と捕捉片４６とが重ね合わされて一体化されて回動自在に取り付けられている。
【００２２】
係支片４１は、第１の軸３４を挿通させる穴４２が設けられている基部４１ａと、基部４１ａからほぼ一定幅で案内溝３３と交差し下シャーシ３１の右側板３１ｅ側に延びた第１腕部４１ｂと、基部４１ａから第１腕部４１ｂと直交する方向に延びた第２腕部４１ｃとによって略Ｌ字状に形成されている。
【００２３】
第１腕部４１ｂの先端の後板３１ｃ寄りの側縁には立上げ片４３が形成され、その立上げ片４３の中央にはネジ溝を有する穴４４が設けられている。また、第２腕部４１ｃの先端面には段部４５が形成されている。
【００２４】
一方、捕捉片４６は、第１の軸３４を挿通させる穴４７が設けられている基部４６ａと、基部４６ａからほぼ一定幅で案内溝３３と交差して右側板３１ｅ側に延びた第１腕部４６ｂと、基部４６ａから第１腕部４６ｂと直交する方向に延び、さらに第１腕部４６ｂと平行に対向する方向に延びた第２腕部４６ｃとを有している。
【００２５】
捕捉片４６の第１腕部４６ａの中央部および先端部には、立上げ片４８、５０がそれぞれ形成され、立上げ片５０の中央にはネジを挿通させるための穴５１が設けられている。
【００２６】
係支片４１と捕捉片４６は、互いの第１腕部同士、第２腕部同士が重なりあう状態で第１の軸３４に取り付けられ、係支片４１の立上げ片４３の穴４４には、捕捉片４６の立上げ片５０の穴５１を通過するネジ５３が螺着され、そのネジ５３の頭部と捕捉片４６の立上げ片５０との間には、コイルバネ５４が挟まれている。
【００２７】
係支片４１と捕捉片４６は、このコイルバネ５４の反発力によって互いに重なりあった状態で一体的に回動できるようになっており、非常時等で防火扉が開く方向に強い力が付与され、コイルバネ５４の反発力より強い力が捕捉片４６に時計回りに与えたときに、捕捉片４６が時計回りに回動して強制解除できるようになっている。
【００２８】
第１の軸３４の上部には、スプリング６５が取り付けられている。スプリング６５の一端は、捕捉片４６の第１腕部４６ｂの外側部に掛けられ、他端側は下シャーシ３１の後板３１ｃに掛けられており、係支片４１および捕捉片４６は、このスプリング６５によって時計回り（図２において）、即ち、捕捉片４６の第２腕部が案内溝３３から退避する方向に回動付勢される。
【００２９】
一方、第２の軸３５には、この係止機構部２００のロック／解除用の特定レバーを構成する制止片７０が回動自在に取り付けられている。
【００３０】
制止片７０は、第２の軸３５を挿通させる穴７１が設けられている基部７０ａと、基部７０ａから係支片４１の第２腕部４１ｃの外周に接する方向に延びた第１腕部７０ｂと、後述するロック解除機構部３００のスライドレバー１３０に当接するために上方に延びた第２腕部７０ｄを有し、スプリング７２によって反時計回りに回動付勢されている。
【００３１】
第１腕部７０ｂの先端は、係支片４１の外周に接しており、防火扉の突起Ｐが進入してきて係支片４１と捕捉片４６が反時計回りに回動して、捕捉片４６の第２腕部４６ｃが案内溝３３と交差する位置まで達したときに、係支片４１の外周の段部４５に係合して、係支片４１および捕捉片４６の時計回り（図２において）の回動を規制する。
【００３２】
なお、下シャーシ３１の底板３１ａの右側前端および後端には、係支片４１および捕捉片４６の第２腕部側に当接して、その回動範囲を規定するためのストッパ７７、７８が設けられている。また、前板３１ｂの右側には、コイルバネ５４の弾性復帰力を調整するネジ５３を回すドライバー（図示せず）を通すためのＵ字の切欠７９が設けられている。また、図１のように、前面板１７０にはこの切欠７９と重なる位置に穴１７０ａが設けられている。
【００３３】
このように構成された係支機構部２００は、案内溝３３に進入してきた防火扉の突起Ｐに押されて係支レバー２０１が反時計回りに回動して、捕捉片４６の第２腕部４６ｃが案内溝３３と交差する位置まで達したときに、制止片７０の第１腕部７０ｂが係支片４１の外周の段部４５に係合して、係支レバー２０１の時計回り（図２において）の回動を規制し、防火扉の突起Ｐが案内溝３３から抜けないロック状態を保持する。このロック状態は、制止片７０の第２腕部７０ｄを右方（図２において）へ押して、時計回りに回動させることで解除することができる。この解除を行うためのロック解除機構部３００が下シャーシ３１の上に重なり合うように固定された上シャーシ３２に形成されている。
【００３４】
上シャーシ３２は、前板１７０、後ろ板１８０とともに、ロック解除機構部３００のベース部を構成するものであり、図４〜図６に示しているように、下シャーシ３１と同様に、底板３２ａ、前板３２ｂ、後板３２ｃ、左側板３２ｄ、右側板３２ｅによって浅い矩形箱状に形成されており、前板３２ｂの中央は、下シャーシ３１の前板３１ｂの開口とともに防火扉の突起を受け入れる開口部を形成するために切欠かれており、底板３２ａの中央下面には、下シャーシ３１の案内溝３３とともに防火扉の突起を内部に案内するための案内路を形成する案内溝８０が形成されている。
【００３５】
また、底板３２ａの後部には、解除レバーガイド溝８２が後ろ板３２ｃに沿って形成されている。また、底板３２ａの左部には、制止片７０の第２腕部７０ｄを通過させ且つその動きを規制しないように円弧状に形成された穴８３が設けられている。
【００３６】
解除レバーガイド溝８２の左端部８２ａおよび右端部８２ｂの間隔は、後述する解除レバー９１の基部９１ａの厚さより僅かに広く設定され、中間部８２ｃの間隔は、解除レバー９１の基部９１ａの外周に装着されて解除レバー９１を右側板３２ｅ方向に付勢するためコイルバネ９５の幅より僅かに広く設定されている。
【００３７】
解除レバーガイド溝８２の左方には円柱状のボス８４が立設され、右方には、後述する操作レバー１５０の先端部を受け入れ、前後方向にガイドするための操作レバーガイド穴８５が形成されている。また、上シャーシ３２の右前隅には、バネフック８６が立設されている。
【００３８】
解除レバー９１は、解除レバーガイド溝８２に収容されて横方向に摺動自在な状態で支持される基部９１ａと、基部９１ａの左端から穴８３と交差する位置まで前方に延びた腕部９１ｂと、基部９１ａと腕部９１ｂとが交差する部分において前方へ突出してその先端に段差をもつストッパ部９１ｃとを有しており、基部９１ａの中間部にはコイルバネ９２が装着され、その右方にはコイルバネ９２の右方への動きを規制するためのピン９３が貫通している。
【００３９】
解除レバー９１の基部９１ａは、解除レバーガイド溝８２の左端部８２ａおよび右端部８２ｂの間に挟まれ、その間に装着されたコイルバネ９２によって右方へ付勢され、さらに、解除レバーガイド溝８２の右端部８２ｂの上にネジ止めされた押え板９５と、ボス８４に回動自在に取り付けられたトリガレバー１００により上方への動きが規制される。
【００４０】
トリガレバー１００は、ボス８４に回動自在な状態でネジ止めするための穴１０１が設けられた基部１００ａと、基部１００ａの左方に所定距離延びて下方に屈曲する第１腕部１００ｂと、基部１００ａの前方に所定距離延びた第２腕部１００ｃと、基部１００ａの後方に延び、解除レバー９１の上方を通過してその浮き上がりを防ぐ第３腕部１００ｄとを有しており、第３腕部１００ｄと解除レバー溝８２の左端部８２ａの間に掛け渡されたコイルバネ１０３によって時計回りに付勢されている。
【００４１】
ここで、解除レバー９１が左寄りの所定位置（特定レバーとしての制止片７０の第２腕部７０ｄに作用しない離間した第３位置）にあるときに、トリガレバー１００の第１腕部１００ｂの後部側の角部が解除レバー９１のストッパ部９１ｃの段差部に係合する角度位置となって、解除レバー９１の右方への移動を規制して第３位置に保持する。また、この規制状態から、第２腕部１００ｃの先端が右方に押されて回動すると、解除レバー９１のストッパ部９１ｃに対する第１腕部１００ｂの係合が解除されて、解除レバー９１が右方の第４位置まで移動する間に、腕部９１ｂの先端が制止片７０の第２腕部７０ｄに当接して右方に移動させ、制止片７０を時計回りに回動させる。これによって係支機構部２００がロック解除状態となる。
【００４２】
ここで、第４位置まで移動した解除レバー９１の腕部９１ｂは、解除状態にある制止片７０の第２腕部７０ｄの左方近傍に位置しており、制止片７０の反時計回りの回動を規制するから、再ロックが防止された状態となる。
【００４３】
一方、解除レバー９１、トリガレバー１００の上方には自己保持型のソレノイド（プランジャとも言う）１１０が配置されている。なお、ここでは平穏時にはソレノイドへの通電を行わず、火災発生時に短時間（例えば１秒）だけ通電駆動する常時非通電方式について説明するが、後述するように、平穏時にソレノイドへの通電を連続して行い、火災発生時に非通電状態となる常時通電方式の場合には、自己保持型でなく、通電された電磁石の磁力によって駆動軸を突出状態に保持し、非通電にすると駆動軸が内部に引っ込む構造の一般的なソレノイドを用いればよい。
【００４４】
ソレノイド１１０は、下シャーシ３１と上シャーシ３２の背面側を連結する背面板１０４に対して横向きに且つその駆動軸１１０ａの先端が左方を向いた状態で固定されている。
【００４５】
ソレノイド１１０は、非通電時に永久磁石の磁力により駆動軸１１０ａを突出させた第１状態に保持し、永久磁石の磁力を打ち消す方向に通電されると、駆動軸１１０ａを突出させる力を弱め、弱い力で内部に引っ込むことができる第２状態となる。
【００４６】
なお、このソレノイド１１０は、図７に示すように、奥端に設けられた永久磁石１１０ｂの磁力を外周の鉄枠（ヨーク）１１０ｃを介して前端の鉄製の軸受１１０ｄに与え、この軸受１１０ｄに内部の可動鉄心１１０ｅの前端を強力に吸着し、可動鉄心１１０ｄに圧入されている非鉄の駆動軸１１０ａを突出させた第１状態に保持する。そして、コイル１１０ｆへの通電により永久磁石１１０ｂの磁力が打ち消されると、軸受１１０ｄと可動鉄心１１０ｅとの吸着を解除し、駆動軸１１０ａの先端側に加えられた弱い力で可動鉄心１１０ｅを奥側へ移動させて駆動軸１１０ａを内部に押し込むことができる第２状態になり、コイル１１０ｆに対して少ない供給電流で駆動軸１１０ａの内部への移動を可能にしている。なお、コイルバネ１１０ｇは、コイル１１０ｆの通電を停止したあとに可動鉄心１１０ｅを軸受１１０ｄ側に移動させて吸着させるためのものである。
【００４７】
ソレノイド１１０の側部にはレバー支持板１２０がネジ止めされている。レバー支持板１２０は、横長矩形でソレノイド１１０の側面に密着するようにネジ止め固定される基部１２０ａと、基部１２０の左端から前方に延びたレバー支持部１２０ｂとを有している。レバー支持部１２０ｂの上面には、回動レバー１２３が回動自在に取り付けられている。回動レバー１２３の一端側の基部１２３ａは、レバー支持部１２０ｂに回動可能な状態でネジ止め支持され、先端（自由端）１２３ｂはソレノイド１１０の駆動軸１１０ａの先端に当接可能な位置まで延びており、その中間の左部には後述するスライドレバー１３０の第１腕部の先端を受け入れる切欠部１２３ｃが形成されている。
【００４８】
レバー支持板１２０はガイドネジ１２５、１２６によってソレノイド１１０に固定され、その前面側には、スライドレバー１３０が左右方向にスライド自在に状態で支持されている。
【００４９】
スライドレバー１３０の一端側には、ガイドネジ１２５の軸部を受け入れる横長の切欠１３１が形成され、他端側にはガイドネジ１２６の軸部を受け入れる横長の切欠１３２が形成されており、これらのガイドネジ１２５、１２６をガイドとしてスライド移動自在に支持されている。
【００５０】
スライドレバー１３０の中央にはバネ掛け用のフック１３３が形成され、このフック１３３とガイドネジ１２６との間にはコイルバネ１３５が掛け渡されている。
【００５１】
また、スライドレバー１３０の左端上部から後方へ第１腕部１３６が延び、その下部が回動レバー１２３の中間部の切欠１２３ｃに左方から進入している。ここで、コイルバネ１３５による付勢力が、スライドレバー１３０および回動レバー１２３を介して、ソレノイド１１０の駆動軸１１０ａを押し込む方向に伝達されるが、ソレノイド１１０の永久磁石による保持力により駆動軸１１０ａは突出状態（第１状態）に保持され、スライドレバー１３０はソレノイド１１０の一端寄り（駆動軸寄り）の所定位置（第１位置）に停止した状態に保持される。
【００５２】
なお、この駆動軸１１０ａに先端側を接して押している回動レバー１２３は、その先端と回動支点との間でスライドレバー１３０を付勢しているコイルバネ１３５の力を受けているので、先端部から駆動軸１１０ａにかかる力を弱めることができる。したがって、永久磁石１１０ｂによる吸着力は小さくて済み、この吸着を解除するために必要な電流も少なくすることが可能である。実際に用いたソレノイド１１０では、３０ｍＡ程度の電流により吸着を解除でき、従来のソレノイドを用いた機構で要求される電流の１／１０程度でロック解除が可能となる。
【００５３】
また、スライドレバー１３０の左下部から下方に突出した第２腕部１３７は、トリガレバー１００の第２腕部１００ｃの左方まで延びていて、第１位置にあったスライドレバー１３０が、ソレノイド１１０の通電駆動によって右方の第２位置まで移動する際の力をトリガレバー１００に伝達して、トリガレバー１００と解除レバー９１との係合を解除させる。
【００５４】
さらに、スライドレバー１３０の右上部から前方に延びた第３腕部１３８は、第２位置まで移動した状態で、後述する操作レバー１５０が所定ストローク押されたときにその第１テーパー部１５２に押されて、スライドレバー１３０を第２位置から第１位置まで戻させる。
【００５５】
操作レバー１５０は、一度防火扉の突起Ｐに対するロックが解除されて再ロック防止状態になってからロック可能な初期状態に復帰させるためのものであり、図８に示しているように、上板１５１、上板１５１の左後方縁部に４５度の角度で且つ手前に向かうほど幅が広くなるように形成された第１テーパー部１５２、上板１５１の前端中央から所定幅で前方に延びた突出片１５３、突出片１５３の先端から同一幅で上方に延びた操作片１５４、上板１５１の右縁から下方に延びた側板１５５、側板１５５の下部から内方に所定距延びた連結部１５６、連結部１５６から４５度の角度で外側に所定距離延びた第２テーパー部１５７、第２テーパー部１５７から後方に所定距離延びた先端部１５８を有している。また、側板１５５の外形は前下部が切欠かれた逆Ｌ字状で、その縦部と上シャーシ３２のバネフック８６の間にコイルバネ１５９が掛けられている。
【００５６】
操作レバー１５０の突出片１５３および操作片１５４は、前面板１０３に設けられた穴（図示せず）を通過して外部へ突出し、側板１５５の下縁が上シャーシ３２の底板に接し、先端部１５８が操作レバーガイド穴８５に進入した状態で支持され、コイルバネ１５９によって前方に付勢されており、操作片１５４を押すことで、第１テーパー部１５２および第２テーパー部１５７を後方に移動させることができる。
【００５７】
操作レバー１５０は、後方に所定ストローク押されたときに、第２位置にあるスライドレバー１３０を、第１テーパー部１５２によって左方へ移動させ、ソレノイド１１０の駆動軸１１０ａを突出状態に復帰させることで第１位置に戻すとともに、第４位置にある解除レバー９１を、第２テーパー部１５７によって左方へ移動させ、トリガレバー１００と係合状態に復帰させることで第３位置に戻し、これによって防火扉の突起が再度進入したときに係支できる状態に復帰させる。
【００５８】
次に、上記構成の係支装置３０の動作を説明する。
図２の状態（初期状態）から図９のように進入した防火扉の突起Ｐ（例えばＵ字状フック）によって捕捉片４６と係支片４１が押され、第１スプリング６５の付勢力に抗して反時計回りに回動する。
【００５９】
そして、図１０のように、防火扉の突起Ｐに押された捕捉片４６の第１腕部４６ｂが案内溝３３、８０からなる案内路とほぼ直交する位置まで回動すると、係支片４１の段部４５に制止片７０の第１腕部７０ｂが係合して、捕捉片４６の戻りが規制された状態となる。このとき、捕捉片４６の第２腕部４６ｃが案内路とほぼ直交するように交差するので、防火扉の突起Ｐは、案内路から抜けない状態（ロック状態）に係支され、防火扉が開いた状態（平常時）となる。
【００６０】
このロック状態においては、ロック解除機構部３００は、図１１のように、ソレノイド１１０の駆動軸１１０ａが突出状態に保持されているため、スライドレバー１３０が左端側の第１位置に停止し、解除レバー９１がトリガレバー１００に係合した左端側の第３位置に停止した状態にある。
【００６１】
そして、この状態から、火災発生等によってソレノイド１１０に通電がなされると、その駆動軸１１０ａを突出状態（第１状態）に保持する力がなくなり第２状態となって、図１２の矢印Ａのように、コイルスプリング１３５の付勢力で内側に押し込まれ、回動レバー１２３が時計回りに回動し、スライドレバー１３０が矢印Ｂのように第１位置から右方へ移動する。
【００６２】
このスライドレバー１３０に右方への移動に伴い、トリガレバー１００が矢印Ｃのように反時計回りに回動し、解除レバー９１との係合が解除される。
【００６３】
このため、解除レバー９１が、図１３の矢印Ｄのように第３位置から右方の第４位置へ移動し、その腕部９１ｂに押されて制止片７０の第２腕部７０ｄが矢印Ｅのように右方に移動する。
【００６４】
このため、図１４のように、制止片７０が時計回りに回動して、係支片４１との係合が解除され、係支片４１による回動規制が解除され、係支片４１と捕捉片４６とが一体的に時計回りに回動して、その第２腕部４６ｃを案内溝３３の側方へ退避させ、防火扉の突起Ｐを案内溝３３から抜け出させ、防火扉で所定通路を閉鎖できるようにする。
【００６５】
このとき、図１３に示しているように、解除レバー９１の腕部９１ｂが、制止片７０の腕部７０ｄの左方近傍にあるので、防火扉の突起Ｐが再挿入されても制止片７０の反時計回りの回動が規制されて、係支片４１と係合できず、係支状態にはならない（再ロック防止状態）。
【００６６】
そして、この状態から図１５のように、操作レバー１５０を矢印Ｆのように奥に押し込むと、図１６のように、第１テーパー部１５２に第３腕部１３８を当接させたスライドレバー１３０が矢印Ｇのように左方に移動する。これによってソレノイド１１０の駆動軸１１０ａを押し込む力がなくなり、駆動軸１１０ａが矢印Ｈのように突出して、永久磁石の吸着力でその突出状態（第１状態）を保持する。このとき回動レバー１２３は突出した駆動軸１１０ａに押されて矢印Ｉのように反時計回りに回動し、スライドレバー１３０の第１腕部１３６に係合する。
【００６７】
また、これと並行して、第２テーパー部１５７に先端を当接させた解除レバー９１が矢印Ｊのように左方に移動する。そして図１７のように、操作レバー１５０が奥端まで押されたときに、解除レバー９１のストッパ部９１ｃがトリガレバー１００の第１腕部１００ｂを通過し、トリガレバー１００が矢印Ｋのように時計回りに回動して第１腕部１００ｂがストッパ部９１ｃの段部に係合する。この状態から操作レバー１５０を離せば、図１３の初期状態に戻って、再度防火扉の突起Ｐを受け入れてロック可能な状態に戻る。
【００６８】
以上説明したように、この係支装置３０に用いたロック解除機構部３００は、ソレノイド１１０と操作レバー１５０の他に、２つのスライド型のレバーと２つの回動型のレバーを用い、スライド型レバーの一つを係支機構部２００の特定レバー（制止片７０ｄ）に作用させることでロック解除させ、再ロック防止状態を維持させているから、ロック解除機構部３００自体の構成を格段に簡単化でき、低コストに作ることができる。また、係支機構部の特定レバーに解除レバーを作用させるだけで済むので、係支機構部自体の構造に対する依存性が弱く、汎用性が格段に高くなり、種々の係支機構への対応が可能となる。
【００６９】
また、スライドレバー１３０を戻してソレノイド１１０の駆動軸１１０ａを突出状態に戻す作業を操作レバー１５０の操作で行っているが、これと並行して解除レバー９１の初期状態への復帰も行え、強いコイルバネ９２に係支機構ロック解除のために必要な強い力を蓄えることができる。
【００７０】
なお、上記した係支機構部２００の構造は一例であって、ベース部材に対する解除レバー９１、トリガレバー１００、ソレノイド１１０、回動レバー１２３およびスライドレバー１３０の支持構造や、それらの形状等について本発明の要旨を逸脱しない範囲で変形可能であり、特定レバーに一定方向の力を与えることでロック解除される係支機構に対して本発明のロック解除機構が適用できる。
【００７１】
また、前記実施形態は、常時非通電方式に対応するために自己保持形のソレノイドを用いていたが、平穏時にソレノイドへの通電を連続して行い、火災発生時に非通電状態となる常時通電方式の場合には、自己保持型でなく、通電された電磁石の磁力によって駆動軸を突出状態に保持し、非通電にすると駆動軸が軽い力で内部に押し込まれる構造の一般的なソレノイドを用いればよい。この場合、例えば、前記構造のソレノイド１１０の永久磁石１１０ｂの代わりに、それと同形で軟鉄材からなる電磁石の鉄心を配置すれば、コイルに対する通電によって発生する磁力で駆動軸１１０ａを突出状態に保持した第１状態と、非通電によって駆動軸１１０ａが内部に押し込まれる第２状態を実現できる。
【符号の説明】
【００７２】
３０……係支装置、３１……下シャーシ、３２……上シャーシ、４１……係止片、４６……捕捉片、７０……制止片（特定レバー）、９１……解除レバー、１００……トリガレバー、１１０……ソレノイド、１２３……回動レバー、１３０……スライドレバー、１５０……操作レバー
【図１】
0006010742.tif 000002
【図２】
0006010742.tif 000003
【図３】
0006010742.tif 000004
【図４】
0006010742.tif 000005
【図５】
0006010742.tif 000006
【図６】
0006010742.tif 000007
【図７】
0006010742.tif 000008
【図８】
0006010742.tif 000009
【図９】
0006010742.tif 000010
【図１０】
0006010742.tif 000011
【図１１】
0006010742.tif 000012
【図１２】
0006010742.tif 000013
【図１３】
0006010742.tif 000014
【図１４】
0006010742.tif 000015
【図１５】
0006010742.tif 000016
【図１６】
0006010742.tif 000017
【図１７】
0006010742.tif 000018